(57)【特許請求の範囲】
【請求項１】
外部レンズとカメラ本体の撮影レンズとを接続するためのレンズアダプタ装置において、
前記レンズアダプタ装置は、
前記カメラ本体に一方の端部が装着される第１のアダプタ筒と、
前記外部レンズが一方の端部に装着され、他方の端部が前記第１のアダプタ筒の装着されていない方の端部に嵌入されて係合される第２のアダプタ筒と、備え
前記第１のアダプタ筒または第２のアダプタ筒のいずれか一方のアダプタ筒の周面には、他方のアダプタ筒の被係合部に係合される係合片が当該周面から突出するように設けられ、
当該係合片の周囲がカメラの光軸方向の前後部分で肉抜きされて、当該係合片がカメラの光軸方向に弾性変形可能に設けられている
ことを特徴とするレンズアダプタ装置。
【請求項２】
前記被係合部は、前記係合片の弾性的な変位量が、前記係合片との係合の途中に比べて係合の終端位置で小さくなるように形成されたことを特徴とする請求項１に記載のレンズアダプタ装置。
【請求項３】
前記被係合部は、略光軸回り方向に形成された溝部であることを特徴とする請求項１〜２のいずれか１つに記載のレンズアダプタ装置。
【請求項４】
前記案内部は、前記係合片が設けられていない方のアダプタ筒の端面から周面の光軸方向に延出して形成された溝部であって、端面入り口付近の溝幅を、周面に延出した溝幅に比べて広く形成したことを特徴とする請求項１〜３のいずれか１つに記載のレンズアダプタ装置。
【請求項５】
前記第１のアダプタ筒と前記第２のアダプタ筒の嵌合時に、前記係合片と前記案内部の位置を合わせるための位置合わせ表示を、少なくとも第１のアダプタ筒または第２のアダプタ筒のいずれかに設けたことを特徴とする請求項１〜４のいずれか１つに記載のレンズアダプタ装置。
【請求項６】
前記位置合わせ表示は、周面の略光軸回り方向に略１２０°間隔に設けられたことを特徴とする請求項５に記載のレンズアダプタ装置。
【請求項７】
前記係合片が設けられたアダプタ筒に備えられ、前記係合片を前記案内部に導入するための第１の表示と、前記係合片が前記案内部の終端まで進入した位置で、前記第１の表示に対応するように前記案内部が設けられた方のアダプタ筒に備えられた第２の表示と、前記係合片がさらに前記被係合部の終端に達した位置で、前記第１の表示に対応するように前記案内部が設けられた方のアダプタ筒に備えられた第３の表示と、を具備したことを特徴とする請求項５または６記載のレンズアダプタ装置。
【請求項８】
前記第１のアダプタ筒と前記第２のアダプタ筒には、前記係合片と前記案内部及び前記被係合部との組合わせが、複数組設けられたことを特徴とする請求項１〜７のいずれか１つに記載のレンズアダプタ装置。
【請求項９】
前記第１のアダプタ筒は、前記カメラ本体に第１のアダプタ筒のみを接続した状態では、その外観が撮影レンズの視野に入らないよう構成されていることを特徴とする請求項１〜８のいずれか１つに記載のレンズアダプタ装置。
【請求項１０】
前記第１のアダプタ筒が、前記カメラ本体に第１のアダプタ筒のみを接続した状態でも、更に、該第１のアダプタ筒の先端にレンズ蓋が装着できることを特徴とする請求項９記載のレンズアダプタ装置。
【請求項１１】
前記第２のアダプタ筒の前記外部レンズが装着される方の端部側には、撮影光軸を中心として同心円状に、複数の外部レンズを取付けるための複数の取付け部をそれぞれ径を異ならせて設けたことを特徴とする請求項１〜１０のいずれか１つに記載のレンズアダプタ装置。
【請求項１２】
外部レンズをカメラに接続するためのレンズアダプタ筒において、
前記レンズアダプタ筒の円筒状の周面には、カメラに取付けられた筒状部材の周面に形成された溝部に係合されることによって当該アダプタ筒をカメラに接続させる係合片が当該周面から突出するように設けられ、
当該係合片の周囲がカメラの光軸方向の前後部分で肉抜きされて、当該係合片がカメラの光軸方向に弾性変形可能に設けられている
ことを特徴とするレンズアダプタ筒。
【請求項１３】
前記係合片は円筒状の内側に突出するよう植立された係合ピンである
ことを特徴とする請求項１２に記載のレンズアダプタ筒。
【発明の詳細な説明】
【０００１】
【発明の属する技術分野】
本発明は、カメラにおけるレンズアダプタ装置に関し、特にテレコンバージョンレンズ等の外部レンズをカメラ本体のレンズ部に取り付けるためのレンズアダプタ装置に関する。
【０００２】
【従来の技術】
カメラは、その焦点距離が広い範囲が選択できることが望ましい。
コンバクトタイプのカメラでも、内蔵レンズの範囲外の焦点距離での撮影を求められる場合がある。
【０００３】
従って、内蔵レンズの前方に倍率を変えるレンズ、いわゆるワイドコンバージョンレンズやテレコンバージョンレンズのような外部レンズが、用意されている。
【０００４】
個々のカメラ専用に外部レンズを作成すると、レンズが高価になってしまうので、汎用の外部レンズを利用するのことが、望ましい。
【０００５】
しかし、コンパクトカメラのサイズの制約上、これらの外部レンズを直接取り付けられるようにするのは、困難な場合が多い。
【０００６】
そこで、これら外部レンズを取り付けるために、本出願人による特開２０００−２３５２２２号公報のように、撮影レンズ部や鏡筒に個々のカメラ専用に設計されたアダプタを取り付け、そのアダプタを介して、外部レンズが装着できるようにしたものが提案されている。
【０００７】
【発明が解決しようとする課題】
ところで、従来のレンズアダプタの形式は、外部レンズをアダプタの一端部にネジ接合で接続し、アダプタのもう一方の端部をカメラ本体のレンズ部にネジ接合で装着する。
【０００８】
ネジ接合で接続されているので、外部レンズの挿脱着は、ワンタッチではできない。野外で特に手袋をして撮影するような寒冷地では、この作業は容易ではない。
【０００９】
レンズの取り外しに時間がかかると、シャッターチャンスを逃してしまう、或いは、無理に力をいれてネジ部を破壊してしまう可能性もある。
【００１０】
そこで、本発明はこのような問題に鑑みてなされたもので、外部レンズをカメラ本体に対して簡単に装着又は脱却してレンズ交換できるレンズアダプタ装置を提供することを目的とするものである。
【００１１】
【課題を解決するための手段】
本発明は、外部レンズとカメラ本体の撮影レンズとを接続するためのレンズアダプタ装置において、前記レンズアダプタ装置は、前記カメラ本体に一方の端部が装着される第１のアダプタ筒と、前記外部レンズが一方の端部に装着され、他方の端部が前記第１のアダプタ筒の装着されていない方の端部に嵌入されて係合される第２のアダプタ筒と、備え前記第１のアダプタ筒または第２のアダプタ筒のいずれか一方のアダプタ筒の周面には、他方のアダプタ筒の被係合部に係合される係合片が当該周面から突出するように設けられ、当該係合片の周囲がカメラの光軸方向の前後部分で肉抜きされて、当該係合片がカメラの光軸方向に弾性変形可能に設けられていることを特徴とする。
【００１２】
この発明においては、外部レンズをカメラ本体の第１のアダプタ筒に取り付ける際に、予め外部レンズを装着した第２のアダプタ筒を用意し、この第２のアダプタ筒を前記第１のアダプタ筒にワンタッチで係合して装着又は脱却させることができる。
【００１３】
また、上記発明においてさらに、前記第２のアダプタ筒の前記外部レンズが装着される方の端部側には、撮影光軸を中心として同心円状に、複数の外部レンズを取付けるための複数の取付け部をそれぞれ径を異ならせて設けたことを特徴とする。
【００１４】
この発明によれば、テレコンバージョンレンズやワイドコンバージョンレンズなどの口径の異なる複数の外部レンズを選択的に取付け可能なレンズアダプタとしての円筒を設けたので、該円筒の一端部をカメラ本体に固定した状態で、該円筒の他方の端部に容易に径の異なった外部レンズを取付け，取外しすることができる。
【００１５】
【発明の実施の形態】
発明の実施の形態について図面を参照して説明する。
図１は本発明の一実施の形態のレンズアダプタ装置の外観を示す斜視図、図２は同レンズアダプタ装置の要部を示す縦断面図である。
【００１６】
レンズアダプタ装置１０は、電子カメラ２０に取り付けられる第１のアダプタ５０と、外部レンズとしてのテレコンバージョンレンズ６０に取り付けられ、さらに第１のアダプタ５０に取り付けられる第２のアダプタ７０と、を備えている。
【００１７】
電子カメラ２０は、カメラ本体３０と、このカメラ本体３０の前面側に設けられたレンズ部４０と、を備えている。
【００１８】
カメラ本体３０はハウジング３１を備えており、このハウジング３１には、コントロールパネル３２、ズームレバー３３、フラッシュ３４、ファインダ窓３５、リモコン受信窓３６、レリーズスイッチ３７、パワースイッチ３８、ファインダ接眼部３９が設けられている。
【００１９】
レンズ部４０は、円筒状に形成され、後述するズームレンズユニット４２を収納するレンズ収納部４１と、このレンズ収納部４１に対し同軸的に設けられた撮影レンズとしてのズームレンズユニット４２を備える。
【００２０】
図２(a)は、カメラ本体３０のレンズ部４０に対して第１のアダプタ５０を組み付けた後、この第１のアダプタ５０に対して、テレコンバージョンレンズ６０を予め装着した第２のアダプタ７０を取り付けた状態の縦断面図を示している。図２(b)は、図２(a)の状態からワンタッチ装着式の第２のアダプタ７０を取り去った後、カメラ側に固定した第１のアダプタ５０の先端部５３にレンズ蓋４３を取り付けた状態を示している。また、図２(c)は、図２(b)の状態からさらに固定された第１のアダプタ５０を取り去った後、カメラ本体３０のレンズ収納部４０の先端部４１にレンズ蓋４３を取り付けた状態を示している。
【００２１】
図２(b) ,(c)に示すように、レンズ蓋４３は、カメラの不使用時にズームレンズユニット４２を保護するために、レンズ収納部４１の先端部４１ａまたは第１のアダプタ５０の先端部５３に取り付けることが可能となっている。
【００２２】
なお、ズームレンズユニット４２は、収納持にその先端側がレンズ収納部４１に完全に隠れるような沈胴式となっている。４２ａはズームレンズユニット４２の先端面を示している（図２(a)参照）。
【００２３】
また、レンズ収納部４１の先端部４１ａの内壁にはネジ溝４１ｂが形成されている。さらに、レンズ蓋４３には突起部４３ａと、ネジ溝４１ｂまたは後述のネジ溝５３ａに係合可能な係合部４３ｂとが設けられている。
【００２４】
第１のアダプタ５０は円筒状に形成された第１のアダプタ筒５１を備えている。第１のアダプタ筒５１はアルミ，チタン等の金属で構成されている。このアダプタ筒５１の内径は上述したズームレンズユニット４２の最大径よりも大きく形成されている。また、第１のアダプタ筒５１のカメラ側の基端部５２の外周には、上述したネジ溝４１ｂに螺合するネジ溝５２ａが形成され、テレコンバージョンレンズ６０側の先端部５３の内周には、後述するテレコンバージョンレンズ６０のネジ溝６２ａに螺合可能なネジ溝５３ａが形成されている。
【００２５】
第１のアダプタ５０の外周には、端面から周面の光軸方向に延出して、係合ピンの案内部となる溝部５４が形成されている。この溝部５４は、後述する係合ピン７４が入る端面入り口付近の溝幅が、途中の溝経路に比べて幅広に形成されている。これにより、係合ピン７４の係合をし易くしている。そして、溝部５４の終端側の端部に連接して、係合ピンの被係合部として機能する溝部５５が略光軸回り方向に形成されている。溝部５４及び溝部５５には、後述の係合ピン７４が係合して移動し最終的には係止（ロック）されることになる。
【００２６】
第２のアダプタ７０は円筒状に形成された第２のアダプタ筒７１を備えている。第２のアダプタ筒７１は第１のアダプタ筒５１と同様にアルミ，チタン等の金属で構成されている。この第２のアダプタ筒７１の先端部７３側を除く内径は、第１のアダプタ筒５１の外径にほぼ等しく、第２のアダプタ筒７１の内面は第１のアダプタ筒５１の外面に外接し、第２のアダプタ筒７１は第１のアダプタ筒５１に対して摺動可能となっている。第２のアダプタ筒７１の先端部７３の内周には、後述するテレコンバージョンレンズ６０のネジ溝６２ａに螺合可能なネジ溝７３ａが形成されている。
【００２７】
第２のアダプタ７０の外周には、周面の一部分に、肉抜きされて２つの長孔７５ａ，７５ｂが形成されており、長孔７５ａ，７５ｂに挟まれた特定部分（以下、リブという）７２は前後（即ち光軸に平行な）方向に弾性変形容易なようにブリッジ状に形成されている。リブ７２のほぼ中心部には、係合片としての係合ピン７４が第２のアダプタ７０の内面側に突出するように植立されている。係合ピン７４はステンレス等の金属で構成されている。このような構成によれば、係合ピン７４は、別のばね材等を使用せず、アダプタ筒と一体的に形成できるので、省スペースでかつ経済的にできる利点を有している。
【００２８】
テレコンバージョンレンズ６０は、円筒状の筒体６１及びこの筒体６１と同軸的かつ一体的に（筒体６１よりも少し小さい外径で）形成された円筒状の取付部６２とを備えている。筒体６１の内周にはレンズ６３〜６５が保持されている。また、取付部６２の外周にはネジ溝６２ａが形成されている。
【００２９】
図１の構成においては、外部レンズであるテレコンバージョンレンズ６０をカメラ本体３０に予め固着した第１のアダプタ筒５０に取り付ける際に、予めテレコンバージョンレンズ６０を装着した第２のアダプタ筒７０を用意し、この第２のアダプタ筒７０を前記第１のアダプタ筒５０にワンタッチで係合して装着又は脱却させることができる。この装着又は脱却は、第１のアダプタ筒５１に設けたガイド用溝部５４及び被係合用溝部５５と、第２のアダプタ筒７０の内面側に突出して設けた揺動可能な係合ピン７４にて容易に行える構造となっている。
【００３０】
図３(a)は、図４のＡ−Ａ線断面図であり、図２(a)におけるレンズ部４０，第１のアダプタ５０，第２のアダプタ７０及びテレコンバージョンレンズ６０の接合状態、並びにそのときのリブ７２，係合ピン７４，及びガイド用溝部５４を拡大して示している。図３(b)は、図３(a)におけるリブ７２及び係合ピン７４の部分を更に拡大して示している。
【００３１】
図３(a)において、レンズ収納部４１の先端部４１ａの内周のネジ４１ｂ部分の内径と第１のアダプタ５０の先端部５３のネジ５３ａ部分の内径とは、同じ径となっており、図２(b)及び図２(c)に示したように同じレンズ蓋４３が装着できるようになっている。
【００３２】
図３(b)において、第２のアダプタ筒７１のリブ７２にかしめられた係合ピン７４の係合部（大径部分）の光軸寄りの面（図示下面）とガイド用溝部５４の底面（図示上面）との間には、第２のアダプタ７０を溝部５４（及び５５）に沿って第１のアダプタ５０に装着するときに前記上下面が擦れないように少しの隙間が形成されるようにしている。
【００３３】
このように構成されたレンズアダプタ装置１０は、次のように使用する。すなわち、通常の撮影時においては、パワースイッチ３８をオンにすることにより、レンズ収納部４１の内部に収納されていたズームレンズユニット４２がレンズ収納部４１から突出する。また、撮影者は適宜ズームレバー３３を操作することにより、ズームレンズユニット４２は図２(a)に示すように伸縮する。なお、図２(a)中、Ｗはワイド撮影時、Ｓは収納時の先端の位置を示している。
【００３４】
一方、ズームレンズユニット４２による倍率を拡大し高倍率の撮影を行う時においては、次のようにしてテレコンバージョンレンズ６０を装着する。
【００３５】
そして、第１のアダプタ５０の基端部５２をレンズ収納部４１にねじ込み、固定しておく。
【００３６】
次に、予め第２のアダプタ７０の先端部７３にテレコンバージョンレンズ６０の取付部６２をねじ込み、装着しておく。
【００３７】
そして、テレコンバージョンレンズ６０を装着した第２のアダプタ７０のアダプタ筒７１のカメラ側の基端部を、前記の第１のアダプタ５０の先端部５３の外周面を覆うように装着する。このとき、第２のアダプタ７０の係合ピン７４が第１のアダプタ５０のガイド用溝部５４及び被係合用溝部５５に係入されることは勿論である。
【００３８】
撮影者は適宜ズームレバー３３を操作することにより、ズームレンズユニット４２は図２(a)に示すように伸縮する。この際、ズームレンズユニット４２の外径は第１のアダプタ筒５１の内径より小さいので、アダプタ筒５１に接触するなどして干渉することがない。このため、撮影者は円滑にズーム操作を行うことができる。
【００３９】
また、第１のアダプタ５０，第２のアダプタ７０及びテレコンバージョンレンズ６０の荷重はレンズ収納部４１を介してカメラ本体３０にかかり、ズームレンズ４２にはかからない。このため、ズームレンズ４２の駆動系に負担がかかることがなく、故障を起こしたりする虞れがない。
【００４０】
上述したように本実施の形態に係るレンズアダプタ装置１０においては、テレコンバージョンレンズ６０を第２のアダプタ７０を用いてワンタッチ式にカメラ本体３０側に固定してある第１のアダプタ５０に取り付けることができるので、テレコンバージョンレンズ６０の装着を簡単にかつ速やかに行うことが可能となる。
【００４１】
一方、テレコンバージョンレンズ６０を使用しない場合には、テレコンバージョンレンズ６０を装着した第２のアダプタ７０を取り外して、第１のアダプタ５０をカメラ本体３０のレンズ部４０に装着したまま状態でも通常の撮影を行うことができる。このようにカメラ本体３０に第１のアダプタ筒５０のみを接続した状態では、そのアダプタ筒５０の外観が撮影レンズによる撮影範囲外になる（撮影視野内に入らない）ように構成してある。このように構成することで、第１のアダプタ５０を付けたままでも、外部レンズを付けない通常の撮影ができる。つまり、通常の撮影を行うのに、いちいち第１のアダプタ５０を外す必要がない。
【００４２】
また、テレコンバージョンレンズ６０を使用しない場合には、テレコンバージョンレンズ６０を装着した第２のアダプタ７０と第１のアダプタ５０とを共に或いは別々にレンズ部４０から取り外して、電子カメラ２０のみで通常の撮影を行うことができ、カメラとしての携帯性を向上させることもできる。
【００４３】
次に、テレコンバージョンレンズ６０を装着した第２のアダプタ７０を、第１のアダプタ５０に対して装着及び脱却する場合の動作について説明する。
【００４４】
図４は、第２のアダプタ７０を、第１のアダプタ５０に対して装着及び脱却する場合の、係合ピン７４の動作を示している。
【００４５】
符号７４a1は、テレコンバージョンレンズ６０を予め装着した第２のアダプタ７０の一部が、第１のアダプタ５０の先端部５３の外周面に対して外接し、第２のアダプタ７０のリブ７２に取り付けた係合ピン７４が第１のアダプタ５０に形成した案内部であるガイド用溝部５４に係入する前の状態を示している。
【００４６】
そして、係合ピン７４が符号７４a1にある状態から、第２のアダプタ７０が第１のアダプタ５０の基端部側（カメラ本体側）に移動していくと、係合ピン７４は、溝部５４の幅広部５４ａから入り（これは幅広にしてピン７４が少しくらいずれていても入り易くしている）、溝部５４の一定幅の通路部５４ｂを通って光軸方向にスライド移動していく。係合ピン７４が符号７４ａ2の位置に来ると、第２のアダプタ筒７１の肉厚にされている先端部７３の内周側当接面７３ｂ（図３(a) 参照）が、第１のアダプタ筒５１の先端部５３の先端面５３ｂに当接し、係合ピン７４は符号７４ａ2に示す位置以上にはカメラ本体側へはスライド移動できなくなる。
【００４７】
この位置７４ａ2では、係合ピン７４の外周面の一部は、ガイド用の溝部５４に連接して設けられた被係合用の溝部５５の内壁５５ａの位置より少し手前の位置（内壁５５ａの位置の図示左側の位置）に位置している。
【００４８】
従って、係合ピン７４がこの位置７４ａ2に達した時に、第２のアダプタ７０を矢印方向に回転させると、係合ピン７４の外周面が内壁５５ａにてカメラ本体側の方向に付勢されながら（即ちピン７４を取り付けたリブ７２がカメラ本体側に弾性変形を受けて）移動していき、最終的には係合ピン７４の外周面の一部が係合凹部５５ｂに嵌り込んで符号７４ａ3で示す位置に位置決め（ロック）される。このロック状態では、ピン７４は溝部５５内壁の接触点５５ｃ，５５ｄの２つの点に当接して位置決め（固定）されている。この位置決め状態では、係合ピン７４は、該ピン７４が移動中に内壁５５ａに当接している時よりも壁面から受ける付勢力は弱められている。
【００４９】
逆に、係合ピン７４がこの固定位置７４ａ3にある状態から、第２のアダプタ７０を図示矢印とは反対方向に回転移動させるには、ピン位置７４ａ3でのリブ７２の付勢力に勝つだけの力を加えることによって可能である。この係合凹部５５ｂに対するピン７４の係合，脱却によってクリック状態（クリック感）が得られる。
【００５０】
位置７４ａ2と位置７４ａ3の間には差ｂ−ａがあり、この差によってピン７４は溝部５５内の接触点５５ｃ，５５ｄに対して（リブ７２の）少ない付勢力にて僅かに図示左方向に付勢された状態で係止（ロック）されている。従って、係合凹部５５ｂに対するピン７４のロック状態を外すときには、壁５５ａに対する付勢力よりも少ない付勢力に対抗する力でロックを外すことができる。つまり、撮影者が第２のアダプタ筒７１を矢印方向とは反対方向に回すだけで（少しの力で）、ピン７４の係止（ロック）状態は外れ、ピン７４は符号７４ａ3から符号７４ａ2の位置へ戻すことができる。
【００５１】
ところで、上記の第１のアダプタ５０のガイド用溝部５４と第２のアダプタ７０の係合ピン７４の係合部（大径部）とを係合させて第１，第２のアダプタ筒５１，７１同士を装着するには、位置合わせ表示としての指示マークが必要となる。しかも、指示マークは、第１，第２のアダプタ筒５１，７１の外周面上に複数組あることが望ましい。
【００５２】
この位置合わせ表示が必要とされる理由は、次の通りである。
即ち、第１のアダプタ５０とカメラ本体３０のレンズ部４０とを接続する際には、第１のアダプタ５０を前記レンズ部４０にねじ込んでネジ接続しているが、レンズ部４０の先端部４１ａ内周の雌ネジと第１のアダプタ５０の基端部５２外周の雄ネジの各ネジを加工して形成する場合、通常は、どこの位置からネジを削っていくは決まっていない。このため、第１のアダプタ５０をカメラ本体３０のレンズ部４０にねじ込んで取り付けた際に、第１のアダプタ５０の外周面上に設けられたガイド用溝部５４の位置が必ずしも撮影者にとって見やすい上方位置に来るとは限らず、ガイド用溝部５４がむしろ撮影者とって見難い外周面上の下方位置（裏面側位置）に来てしまうことがある。従って、第１，第２のアダプタ筒間の位置合わせ表示として目印（指示マーク）が各アダプタ筒の外周面上に必要になる。さらに、目印（指示マーク）が各アダプタ筒の外周面上に１つずつしかないと、ネジの加工上、第１のアダプタ筒の外周面上の指示マークが撮影者とって見難い外周面上の位置に来てしまうことがあり、アダプタ筒の外周面には複数個の目印（指示マーク）を設けることが必要となる。
【００５３】
図５は、第１，第２のアダプタを装着するために、その位置合わせ表示として使用する指示マークの一実施の形態を示すものである。図５(a)は嵌合装着前の状態を示す斜視図、図５(b)は第１のアダプタのガイド用溝部に沿って第２のアダプタ７０を嵌合した状態を示し、図５(c)は図５(b)の状態から第２のアダプタ７０を回転して装着（ロック）した状態を示している。
【００５４】
図５(a)に示すように、第１のアダプタ筒５１と第２のアダプタ筒７１の嵌合時に、係合ピン７４とガイド用溝部５４の入り口位置を合わせるための第１の表示７６ａ，７６ｂ，７６ｃを、第２のアダプタ筒７１の基端部７７の外周面に略１２０°間隔で３箇所、それぞれ異なったマーク形状（△，○，□）にて形成してある。
【００５５】
そして、この第１の表示に対応するように、第１のアダプタ筒５１の先端部５３の外周面に略１２０°間隔で３箇所（符号５６ａ，５６ｂ，５６ｃにて示す）、それぞれ前記指示マークと同様なマーク形状（△，○，□）で形成してある。
【００５６】
なお、第２のアダプタ筒７１における指示マーク７６ａ，７６ｂ，７６ｃと、第１のアダプタ筒５１における指示マーク５６ａ，５６ｂ，５６ｃについては、どちらか一方のアダプタ筒の端部に形状的な特徴があれば目印とすることができる。従って、第２，第１のアダプタ筒７１，５１のどちらか一方にのみ積極的に指示マーク７６ａ，７６ｂ，７６ｃ（又は５６ａ，５６ｂ，５６ｃ）を形成し、もう一方の指示マーク５６ａ，５６ｂ，５６ｃ（又は７６ａ，７６ｂ，７６ｃ）を省略することも可能である。
【００５７】
さらに、第２のアダプタ筒７１の係合ピン７４が第１のアダプタ筒５１のガイド用溝部５４の終端まで進入した位置で、前記第１の表示７６ａ，７６ｂ，７６ｃに対応するように第２の表示５６ａ1，５６ｂ1，５６ｃ1を、前記ガイド用溝部５４が設けられた第１のアダプタ筒５１の基端部側外周面５７に前記第１の表示と同様に略１２０°間隔で３箇所、それぞれ前記指示マークと同様なマーク形状（△，○，□）で形成してある。
【００５８】
そして、前記係合ピン７４が回転されて被係合部である溝部５５の終端に達した位置で、前記第１の表示７６ａ，７６ｂ，７６ｃに対応する第３の表示５６ａ2，５６ｂ2，５６ｃ2を、前記ガイド用溝部５４が設けられた方の第１のアダプタ筒５１の基端部側外周面５７に前記第１，第２の表示と同様に略１２０°間隔で３箇所、それぞれ前記指示マークと同様なマーク形状（△，○，□）で形成してある。
【００５９】
このようにカメラ側のレンズ部４０に取り付けられる第１アダプタ筒５１の周面に位置あわせ表示の指示マークを少なくとも３箇所ほぼ等間隔で設けることにより、撮影者は３種類のマーク形状（△，○，□）のどれかを上の方から見ることができるようになる。従って、例えば、第１アダプタ筒５１の先端部の周面に見られる指示マーク５６ａに、第２のアダプタ筒７１の基端部側周面の同じ指示マーク７６ａを合わせて嵌合し、図５(b)に示すように第２のアダプタ筒７１を光軸方向（矢印方向）に押入すれば、指示マーク７６ａと第２の表示である指示マーク５６ａ1とが対峙した状態となり、その後に図５(c)に示すように第２のアダプタ筒７１を光軸回り方向（矢印方向）に回転させれば、指示マーク７６ａと第３の表示である指示マーク５６ａ2とが対峙した位置でロック状態となり嵌合装着が完了する。
【００６０】
上記のような第１，第２，第３の表示としての位置合わせ用指示マークを設けることにより、第１，第２のアダプタ筒同士を確実にかつスムーズにロックさせることができ、又外す場合も外す方向が一目で分る利点を有するものである。
【００６１】
図６は、第１，第２のアダプタを装着するために、その位置合わせ表示として使用する指示マークの他の実施の形態を示すものである。
【００６２】
図６では、図５の実施の形態における指示マーク（△，○，□）に代えて指示マーク（○，○○，○○○）を用いるものである。このような丸形の指示マークとすれば、第１，第２のアダプタ筒が通常アルミなどの金属で構成されているので、ドリル加工で凹んだ穴を形成すればよく、加工が容易となる利点がある。なお、図６では、第２のアダプタ筒７１の指示マーク７６ａ，７６ｂ，７６ｃと、第１のアダプタ筒５１の指示マーク５６ａ，５６ｂ，５６ｃのみを示しているが、第１のアダプタ筒５１の基端部側外周面５７における第２，第３の表示に相当する指示マーク（図示略）についても同様のマーク（○，○○，○○○）を用いればよい。
【００６３】
図７は、第１，第２のアダプタを装着するために、その位置合わせ表示として使用する指示マークのもう１つの他の実施の形態を示すものである。
【００６４】
図７では、使用する位置合わせ用の指示マーク７６ａ，５６ａは周面上の３箇所で全て同じ印（○）であるが、前後（光軸と平行な）方向に弾性変形可能なリブ７２及びこのリブ７２に設けた係合ピン７４並びに指示マーク７６ａの組が、第２のアダプタ筒７１の基端部７７の外周面に略１２０°間隔で３組、設けてある。そして、これに対応するように、第１のアダプタ筒５１の外周面には、位置合わせ用の指示マーク７６ａ及びガイド用の溝部５４並びに被係合用の溝部５５の組が、第１のアダプタ筒５１の外周面に略１２０°間隔で３組、設けてある。なお、図７では、第２のアダプタ筒７１の指示マーク７６ａと、第１のアダプタ筒５１の指示マーク５６ａのみを示しているが、第１のアダプタ筒５１の基端部側外周面５７における第２，第３の表示に相当する指示マーク（図示略）についても同様のマーク（○）を用いればよい。
【００６５】
図７のように、第２のアダプタ筒７１及び第１のアダプタ筒５１に、リブ７２及び係合ピン７４並びにそれに対応した係合用溝部５４，５５の組を複数組（図では３組）設けることは、加工上、工数が増えることになるが、このような複数組の係合機構とすれば、どれか１つの係合組におけるリブ７２又は係合ピン７４が折れる等して破損し係合装着する機能が失われても、残りの他の係合組にて係合装着機能を働かせる（維持する）ことができる利点がある。
【００６６】
図８は本発明の他の実施の形態のレンズアダプタ装置の外観を示す斜視図、図９は同レンズアダプタ装置の要部を示す縦断面図である。
【００６７】
図８では、図１における第２のアダプタ７０の先端部７３（即ち外部レンズが装着される方の端部側）は、その内面を同心円状に２段のネジ構造としてある。即ち、撮影光軸を中心として同心円状に、複数（図では２つ）の外部レンズを取付けるための取付け部としてネジ溝７３ａ，７３ｂをそれそれ径を異ならせて、２つ設けた構成としている。外部レンズとしては、例えば、テレコンバージョンレンズ６０と、ワイドコンバージョンレンズ８０とを取り替え可能としている。なお、図８では、径の異なる２種類のネジ溝を設けているが、径の異なる３種類以上のネジ溝を設けた構成とすることも可能である。
【００６８】
図９(a)は第２のアダプタ７０の先端部７３にテレコンバージョンレンズ６０を取り付けた状態を示し、図９(b)は第２のアダプタ７０の先端部７３にワイドコンバージョンレンズ８０を取り付けた状態を示している。
【００６９】
図９(a)では、テレコンバージョンレンズ６０のレンズ筒６１の基端部６２の外周面に設けたネジ溝６２ａと、第２のアダプタ７０の前記ネジ溝７３ａとを螺合させることで、テレコンバージョンレンズ６０を第２のアダプタ７０に装着している。レンズ筒６１の内周にはレンズ６３〜６５が保持されている。
【００７０】
図９(b)では、ワイドコンバージョンレンズ８０のレンズ筒８１の基端部８２の外周面に設けたネジ溝８２ａと、第２のアダプタ７０の前記ネジ溝７３ｂとを螺合させることで、ワイドコンバージョンレンズ８０を第２のアダプタ７０に装着している。レンズ筒８１の内周にはレンズ８３〜８５が保持されている。
【００７１】
図９(c)は図９(a)又は(b)の状態からワンタッチ装着式の第２のアダプタ７０を取り去った後、レンズ収納部４０に固定した第１のアダプタ５０を装着した状態で、固定アダプタ５０の先端部５３にレンズ蓋４３を取り付けた状態を示している。
【００７２】
図９(d)は図９(c)の状態からさらにレンズ収納部４０に固定した第１のアダプタ５０を取り去った後、レンズ蓋４３をレンズ収納部４０の先端部４１に取り付けた状態を示している。
【００７３】
図８の構成においては、ワンタッチ式の第２のアダプタ７０に対して図９(a)のように予めテレコンバージョンレンズ６０をセットしたものを、カメラ本体側の第１のアダプタ５０にワンタッチ装着し、その後の撮影時に必要に応じてテレコンバージョンレンズ６０をワイドコンバージョンレンズ８０に取り替えて使用することが容易である。或いは、ワンタッチ式の第２のアダプタ７０に対して図９(b)のように予めワイドコンバージョンレンズ８０をセットしたものを、カメラ本体側の第１のアダプタ５０にワンタッチ装着し、その後の撮影時に必要に応じてワイドコンバージョンレンズ８０をテレコンバージョンレンズ６０に取り替えて使用することが容易である。
【００７４】
図１０は本発明のもう１つの他の実施の形態のレンズアダプタ装置の外観を示す斜視図、図１１は同レンズアダプタ装置の要部を示す縦断面図である。
【００７５】
図１０では、図８の実施の形態におけるワンタッチ式のアダプタ７０がなく、カメラ本体３０に対する固定式のアダプタ５０の先端部５３の内面を同心円状に２段のネジ構造としたものである。即ち、撮影光軸を中心として同心円状に、複数（図では２つ）の外部レンズを取付けるための取付け部としてネジ溝５３ａ，５３ｂをそれそれ径を異ならせて、２つ設けた構成としている。外部レンズとしては、例えば、テレコンバージョンレンズ６０と、ワイドコンバージョンレンズ８０とを取り替え可能としている。なお、図１０では、径の異なる２種類のネジ溝を設けているが、径の異なる３種類以上のネジ溝を設けた構成とすることも可能である。
【００７６】
図１１(a)はアダプタ５０の先端部５３にテレコンバージョンレンズ６０を取り付けた状態を示し、図１１(b)はアダプタ５０の先端部５３にワイドコンバージョンレンズ８０を取り付けた状態を示している。
【００７７】
図１１(a)では、テレコンバージョンレンズ６０のレンズ筒６１の基端部６２の外周面に設けたネジ溝６２ａと、アダプタ５０の前記ネジ溝５３ａとを螺合させることで、テレコンバージョンレンズ６０をアダプタ５０に装着している。レンズ筒６１の内周にはレンズ６３〜６５が保持されている。
【００７８】
図１１(b)では、ワイドコンバージョンレンズ８０のレンズ筒８１の基端部８２の外周面に設けたネジ溝８２ａと、アダプタ５０の前記ネジ溝５３ｂとを螺合させることで、ワイドコンバージョンレンズ８０をアダプタ５０に装着している。レンズ筒８１の内周にはレンズ８３〜８５が保持されている。
【００７９】
図１１(c)は、図１１(a)又は(b)の状態からレンズ収納部４０に固定したアダプタ５０を取り去った後、レンズ蓋４３をレンズ収納部４０の先端部４１に取り付けた状態を示している。
【００８０】
図１０の構成においては、カメラ本体側に固定したアダプタ５０に対して、図１１(a)のように予めテレコンバージョンレンズ６０を装着し、その後の撮影時に必要に応じてテレコンバージョンレンズ６０をワイドコンバージョンレンズレンズ８０に取り替えて使用することが容易である。或いは、カメラ本体側に固定したアダプタ５０に対して、図９(b)のように予めワイドコンバージョンレンズ８０を装着し、その後の撮影時に必要に応じてワイドコンバージョンレンズ８０をテレコンバージョンレンズ６０に取り替えて使用することが容易である。
【００８１】
尚、以上述べた実施の形態では、第２のアダプタ筒７１に弾性的に変位可能な係合片として係合ピン７４を設け、第１のアダプタ筒５１に案内部及び被係合部を形成する係合溝部５４，５５を設けた構成としているが、本発明はこれに限定されることなく、第１のアダプタ筒５１の周面に弾性的に変位可能な係合片を設け、この係合片が設けられていない方の第２のアダプタ筒７１の周面に延出して案内部及び被係合部を設けた構成としてもよい。
【００８２】
【発明の効果】
以上述べたように本発明によれば、外部レンズをカメラ本体に対してワンタッチで容易に装着又は取外しできるレンズアダプタ装置を実現することが可能となる。
【図面の簡単な説明】
【図１】本発明の一実施の形態のレンズアダプタ装置の外観を示す斜視図。
【図２】図１のレンズアダプタ装置の要部を示す縦断面図。
【図３】図２(a)におけるレンズ部，第１のアダプタ，第２のアダプタ及びテレコンバージョンレンズの接合状態、並びにリブ，係合ピン，及びガイド用の溝部を拡大して示す断面図。
【図４】第２のアダプタを、第１のアダプタに対して装着又は脱却する場合の、第２のアダプタの係合ピンの動作を説明する平面図。
【図５】第１，第２のアダプタを装着するために、その位置合わせ表示として使用する指示マークの一実施の形態を示す斜視図。
【図６】第１，第２のアダプタを装着するために、その位置合わせ表示として使用する指示マークの他の実施の形態を示す斜視図。
【図７】第１，第２のアダプタを装着するために、その位置合わせ表示として使用する指示マークのもう１つ他の実施の形態を示す斜視図。
【図８】本発明の他の実施の形態のレンズアダプタ装置の外観を示す斜視図。
【図９】図８のレンズアダプタ装置の要部を示す縦断面図。
【図１０】本発明のもう１つの他の実施の形態のレンズアダプタ装置の外観を示す斜視図。
【図１１】図１０のレンズアダプタ装置の要部を示す縦断面図。
【符号の説明】
１０…レンズアダプタ装置
２０…電子カメラ
３０…カメラ本体
４０…レンズ収納部
５０…第１のアダプタ
５１…第１のアダプタ筒
５４…ガイド用溝部（案内部）
５５…被係合用溝部（被係合部）
６０…テレコンバージョンレンズ（外部レンズ）
７０…第２のアダプタ
７１…第２のアダプタ筒
７２…リブ（特定部分）
７４…係合ピン（係合片）
７５ａ，７５ｂ…長孔
【図１】
0004119648.tif 000002
【図２】
0004119648.tif 000003
【図３】
0004119648.tif 000004
【図４】
0004119648.tif 000005
【図５】
0004119648.tif 000006
【図６】
0004119648.tif 000007
【図７】
0004119648.tif 000008
【図８】
0004119648.tif 000009
【図９】
0004119648.tif 000010
【図１０】
0004119648.tif 000011
【図１１】
0004119648.tif 000012